(57)【特許請求の範囲】
【請求項１】
一方でメモリ（３）および電子財布機能（４）付きメモリカード（２）により、他方で電子文書のための販売ターミナル（６）により電子文書を取得する方法において、該方法が、
（ａ）前記メモリカード（２）が、互いに独立して部分メモリに分割されたまたは追加的な他のメモリ（８）を含む前記メモリ（３）内に、あらかじめ、文書取得機能（７）だけでなく、有効化により取得すべき無効状態にある電子文書をも、前記電子財布機能（４）から独立して、導入する工程と、
（ｂ）前記販売ターミナル（６）が、前記販売ターミナル（６）と、前記メモリカード（２）のうちの独立した前記文書取得機能（７）および前記財布機能（４）とを、前記販売ターミナル（６）の通信手段(９)を介して通信状態にする工程と、
（ｃ）前記販売ターミナル（６）が、電子文書を取得するためのオーダーを前記販売ターミナル（６）から、前記メモリカードの前記文書取得機能（７）へ送信する工程と、
（ｄ）前記販売ターミナル（６）が、証明すべき電子文書が前記メモリカード（２）内に存在すること、および該電子文書の信憑性を前記販売ターミナル（６）の文書存在証明手段（１０）を用いて証明する工程と、
（ｅ）前記販売ターミナル（６）が、電子文書を取得するための金額が前記電子財布機能（４）内に存在すること、およびその信憑性を前記販売ターミナル（６）の金額存在証明手段（１１）を用いて証明する工程とを備え、
（ｆ）前記販売ターミナル（６）が、工程（ｄ）および（ｅ）が肯定的である場合、前記販売ターミナル（６）から前記文書取得機能（７）及び前記電子財布機能（４）の各々にグローバル同意信号を前記通信手段(９)を介して同時に送信し、前記メモリカード（２）が、一方で前記電子文書を取得した電子文書として有効化すると同時に、他方で電子文書を取得するための金額を前記電子財布機能（４）に借方として記入することを特徴とする、電子文書を取得する方法。
【請求項２】
前記電子文書が存在すること、およびその信憑性を証明する肯定的な工程（ｄ）の後で、前記メモリカード（２）が、前記販売ターミナル（６）と通信することにより、前記電子文書またはそのコピーのいずれかを更新する工程をさらに含み、
前記工程（ｆ）は、
前記販売ターミナル（６）が、工程（ｄ）および（ｅ）が肯定的である場合、前記販売ターミナル（６）から前記文書取得機能（７）及び前記電子財布機能（４）の各々にグローバル同意信号を前記通信手段(９)を介して同時に送信する工程と、
前記メモリカード（２）が、更新された前記電子文書または前記コピーを一時的に記憶する工程（１６）と、
前記メモリカード（２）が、前記更新された前記電子文書を有効化するために、グローバル同意信号の受信時に、この更新された前記電子文書または前記コピーを前記文書取得機能（７）の保留された位置（１７）内に書き込むと同時に、前記電子財布機能（４）の保留されたロケーション内に借方として記入された金額を書き込む工程を含むことを特徴とする、請求項１記載の方法。
【請求項３】
前記販売ターミナル（６）が、前記電子文書を取得するための金額の借方としての記入の証明を前記販売ターミナルに記録する工程も含むことを特徴とする、請求項１および２のいずれかに記載の方法。
【請求項４】
電子文書を取得するためのデバイスであって、
互いに独立して部分メモリに分割されたまたは追加的な他のメモリ（８）を含むメモリ（３）内に、および電子財布機能（４）付きメモリカード（２）と、
前記電子文書のための販売ターミナル（６）を有し、
前記メモリカード（２）は、電子財布機能（４）から独立した取得機能（７）および電子文書を内部に非有効化状態に記憶するためのメモリ（３、８）を備え、
前記販売ターミナルが、前記メモリカード（２）から前記電子文書を取得するためのオーダーを前記メモリカード（２）に送信するための通信手段（９）を備え、
前記販売ターミナル（６）が、
(a)  有効化すべき前記電子文書が前記メモリカード（２）内に存在すること、およびその信憑性を証明し、第１同意信号を発生するようになっている文書存在証明手段（１０）と、
(b)  前記電子文書を取得するための十分な金額が前記電子財布機能（４）内に存在すること、およびその信憑性を証明し、第２同意信号を発生するようになっている金額存在証明手段（１１）と、
(c)  前記電子文書を取得するための金額を借方として記入するためのグローバル同意信号を前記電子財布機能（４）に送ると同時に、前記取得機能（７）に取得した前記電子文書を有効化するためのグローバル同意信号を送るよう配置され、接続され、第１および第２同意信号の両方を取得したときに、前記電子財布機能（４）に電子文書を取得するための金額を借方として記入するためのグローバル同意信号と、取得機能（７）に取得した前記電子文書を有効化するためのグローバル同意信号とを同時に送る信号組合せ手段（１２）と、
を備えたことを特徴とする、電子文書を取得するためのデバイス。
【請求項５】
前記文書存在証明手段（１０）に接続されており、前記第１同意信号の受信時に前記電子文書またはそのコピーのいずれかを更新する前記メモリカード（２）の手段（１５）と、
更新された前記電子文書を一時的に記憶するための前記メモリカード（２）内のメモリ（１６）と、
前記グローバル同意信号の受信により更新された前記電子文書を有効化した後に、有効化された前記電子文書のために保留された前記メモリカード（２）内のロケーション（１７）を備えたことを特徴とする、請求項４記載のデバイス。
【発明の詳細な説明】
【０００１】
本発明は、一方でメモリおよび電子支払い手段機能付きスマートカードにより、他方で電子文書のための販売ターミナルにより該電子文書を取得するための方法に関する。この電子支払い手段機能は電子財布タイプのものでもよいし、特にデビット／クレジットカードでよい。
【０００２】
スマートカードは毎日の生活において次第に用途が増している。この結果、個人はこのタイプの数枚のカードを所有することになる。このように多数のカードを携帯し、管理し、取り扱う結果から生じる不便さを解消するために、これらカードの一部をいくつかの機能に対して使用できるようにするための処置が採用されている。代表的なケースとしては、電子財布機能と、１つ以上の電子文書、例えば公衆交通切符または駐車切符を取得したり、またはショーにアクセスするための少なくとも１つの機能とを備えたスマートカードのケースが挙げられる。
【０００３】
支払い手段機能と取得機能のこれら２つの機能に対して同じスマートカードを使用する時には、これら機能が完全に独立し、従って相互が影響したり、干渉する可能性を生じないように、これら２つの機能をインストールしなければならない。しかしながら、主なニーズは、取得した文書が例えば電子財布に借方として記入された金額に対応し、逆に電子財布に借方として記入された金額が取得された文書に対応するという絶対的な確実性を得ることにある。取得動作中に機能障害が生じた場合、電子財布からお金が引き出され、他方、電子文書がカード内で合法的かつ有効に作成および／または記憶されないような事態、または逆に電子文書が作成／有効化されたが、お金が引き落とされないという事態は生じない。
【０００４】
本発明の目的は、このタイプの欠点に対処し、お金が引き出された場合に文書を取得し、逆に文書が取得された場合にお金を引き出すという確実性を可能にする方法を提供することにある。
【０００５】
この目的のために、本発明によれば、本方法は有効化により取得すべき文書および電子財布機能から独立した文書取得機能を前記メモリ内に無効状態にあらかじめ導入する工程を含む。かかる文書の取得を望む時は、販売ターミナルとカードのうちの文書取得機能および電子支払い手段機能の独立した機能とを通信状態にする。ターミナルにより文書取得オーダーがなされ、取得機能に送信される。有効化すべき文書がカード内に存在すること、およびその信憑性の証明、ならびに文書を取得するための金額が財布内に存在すること、およびその信憑性の証明がなされる。これら２つの証明工程が肯定的であれば、一方で文書を取得した文書として有効化すると同時に、他方で取得金額を財布に借方として記入するよう、上記機能の各々へのグローバル同意信号の同時送信が行われる。
【０００６】
本発明では「取得」なる用語はあらかじめ支払われたサービスを購入する場合のように、直接または間接的に通常購入される、所定の権利を与える文書を得るという意味にも解すべきである。
【０００７】
一実施例によれば、本発明の方法はターミナルと通信状態にすることにより文書が存在すること、およびその信憑性を証明する肯定的な工程の後に、文書またはそのコピーのいずれかを更新する工程、および次に、更新された文書またはコピーの一時記憶をする工程を含む。更新された文書またはコピーの証明をするために、グローバル同意信号の受信時に、取得機能に保留されたロケーションへのこの文書またはその更新されたコピーの書き込みを実行するのと同時に、電子財布機能の保留されたロケーションに貸方として記入された金額の書き込みを実行する。
【０００８】
本発明の別の目的はメモリおよび電子財布機能付きスマートカードと電子文書のための販売ターミナルとを備えた、電子文書を取得するためのデバイスである。
【０００９】
本発明にかかわるデバイスでは、スマートカードは財布機能から独立した取得機能および内部に文書を無効状態で記憶するためのメモリも含む。このターミナルは文書を取得するためのオーダーをカードに送信するようになっている、前記カードと通信する手段を含む。このデバイスは有効化すべき文書がカード内に存在すること、およびその信憑性を証明する手段であって、第１同意信号を発生するようになっている手段と、文書を取得するための十分な金額が財布内に存在すること、およびその信憑性を証明するための手段であって、第２同意信号を発生するようになっている手段も含む。更に、第１同意信号と第２同意信号とを組み合わせる手段が設けられており、この組み合わせ手段は文書を取得するための金額を貸方に記入するためのグローバル同意信号を財布機能へ送ると同時に、取得した文書を有効化するための同じグローバル同意信号を取得機能へ送るように配置され、接続されている。
【００１０】
非制限的例により、本発明にかかわる方法およびデバイスの特定の実施例を示す、本明細書に添付した図面の説明および従属請求項から、本発明の他の細部および特徴が明らかとなろう。
【００１１】
電子文書を取得するようになっている本発明にかかわるデバイス１は、種々の公知の要素、例えばメモリ３および電子財布機能４付きスマートカード２と、前記文書のための販売ターミナル６とを含む。
【００１２】
本発明によれば、スマートカード２には財布機能４から独立した少なくとも１つの取得機能７および取得すべき文書を無効状態で内部に記憶するようになっている別のメモリ８も設けられている。この部分のためのターミナル６は、個人が電子文書のための取得オーダーと支払いオーダーとをカード２に送信できるようになっている、前記カード２と通信する公知の手段９を含む。
【００１３】
本発明にかかわるデバイス１は当業者に知られており、機能的に共に接続された次のものを含む種々の手段も含む。有効化すべき文書がカード２内に存在すること、およびその文書の信憑性を証明し、かつカード２がこの点に関して正常な場合に第１同意信号を発生するための手段１０が配置されている。手段１１は文書を取得するために十分な金額が財布４内に存在すること、およびその信憑性を証明するようになっている。この点に関連してカード２が正常な場合、カード２が第２同意信号を発生するようになっている。手段１２は第１同意信号と第２同意信号との組み合わせを提供するものであり、これら２つの信号を受信した後に文書取得金額を借方に記入することに同意するグローバル信号を財布機能４へ送ると同時に、取得した文書を有効化するための同じグローバル同意信号を取得機能６へ送るように配置され、接続されている。
【００１４】
このデバイス１は、文書を証明する手段１０に接続された、メモリ８に記憶された文書もしくはそのコピーのいずれかを第１同意信号の受信時に更新する手段１５と、更新された文書またはそのコピーを一時的に記憶するためのメモリ１６と、グローバル同意信号の受信により証明された後に限り更新された文書またはコピーを記憶するよう保留されたロケーションまたはメモリ１７も含むことができる。
【００１５】
上記デバイス１により実現できる、本発明にかかわる方法は、基本的には次の工程を含む。
【００１６】
カード２が作成されると、有効化により取得すべき交通切符のような文書および財布機能４から独立した文書のための取得機能７があらかじめ無効状態でカードのメモリ８に導入される。
【００１７】
この切符を取得するためにカード２の保持者は適当な販売ターミナル６とカード２のうちの独立した取得機能７および財布機能４とを公知の態様で通信状態にする。
【００１８】
カード保持者は、ターミナル６により文書を取得するためのオーダーを取得機能７へ与える。
【００１９】
このデバイス１は有効化すべき文書がカード２内に存在すること、およびその信憑性の証明を手段１０により実行するだけでなく、文書を取得するために十分な金額が財布４内に存在し、それに信憑性があることを証明することを手段１１により実行する。
【００２０】
２つの証明が肯定的であれば、これから生じた２つの同意信号は組み合わせ手段１２によるグローバル同意信号の機能４および７の各々への同時送信を生じさせ、一方で、取得された文書として文書を有効化すると同時に、他方で、取得金額を財布４の借方に記入する。
【００２１】
本発明の一実施例では、カード２とターミナル６とが通信状態になると、文書が存在することおよびその信憑性の肯定的な証明により、文書またはそのコピーのいずれかの更新を生じさせるだけでなく、更新された文書またはコピーの、例えばメモリ１６への一時記憶を生じさせる。
【００２２】
更新された前記文書またはコピーの適正な有効化を行うために、デバイス１はグローバル同意信号の受信時に取得機能７のために保留されたロケーション１７へのこの更新された文書またはそのコピーの書き込みを実行するだけでなく、それと同時に財布機能４の保留されたロケーション内に借方として記入された金額の書き込みを実行する。
【００２３】
本発明は上記実施例だけに限定されているのではなく、特許請求の範囲から逸脱することなく、これら実施例について多数の変形を行うことができると理解すべきである。
【００２４】
したがって、本発明に係わる方法は、更にターミナル６に借方として記入された前記取得金額の記載の証明を記録することも含むことができる。
【００２５】
カード２で必要な種々のメモリは、条件に従い、互いに独立して部分メモリに分割されるか、または接続された単一メモリ３とすることができる。
【００２６】
カード２とターミナル６との間の上記素子および手段の配置は特許請求の範囲から逸脱しなければ、これまで提案した配置と異なっていてもよい。
【００２７】
互いに独立した数種の取得機能を同一カード２内に設け、機能ごとにこれら機能または異なるターミナル６を起動できるターミナル６によりこれら機能を使用することができる。
【００２８】
（符号の説明）
１  本発明に係わるデバイス
２  スマートカード
３  スマートカードのうちのメモリ
４  電子財布（機能）
６  販売ターミナル
７  取得機能
８  その他のメモリ
９  通信手段
１０  文書存在証明手段
１１  金額存在証明手段
１２  ２つの信号を組み合わせる手段
１５  更新手段
１６  一時記憶メモリ
１７  有効化された文書のロケーションまたはメモリ
【図面の簡単な説明】
【図１】例として引用された２つの独立した機能を満たすために設けられた、本発明のデバイスを略図で示す。
【図１】
0004647186.tif 000002